(57)【要約】【課題】通報装置内保存データを少ない通信量で収集できる通報装置内保存データ収集システムを提供する。【解決手段】通報装置１０１は、外部機器１２から異常発生を示す異常信号を受けると、異常発生前の外部機器１２の状態データをデータロガー部１１からデータロガー部１１外部の通報装置内記憶部１３に通報装置内保存データとして移し、異常発生を表す通報１４のみをセンタ装置１０２に送信する。センタ装置１０２は、受信した通報１４が予め定めた条件を満たす場合のみ通報装置１０１の通報装置内記憶部１３に対してデータ収集要求を行う。通報装置１０１は、データ収集要求に応答して通報装置内記憶部１３の通報装置内保存データをセンタ装置１０２に送信する。【選択図】図１
2010045697.tif 000002
【特許請求の範囲】
【請求項１】
通報装置とセンタ装置とを有する通報装置内保存データ収集システムに用いられる前記通報装置であって、
外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する機能と、
前記センタ装置から、前記通報装置内記憶部に対するデータ収集要求を受けると、前記通報装置内記憶部の前記通報装置内保存データを前記センタ装置に送信する機能とを有することを特徴とする、通報装置内保存データ収集システムにおける通報装置。
【請求項２】
通報装置において、外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する第１のステップと、
前記センタ装置において、該通報を受信すると、受信した通報が予め定めた条件を満たす場合のみ、前記通報装置の前記通報装置内記憶部に対してデータ収集要求を行う第２のステップと、
前記通報装置において、前記データ収集要求に応答して前記通報装置内記憶部の前記通報装置内保存データを前記センタ装置に送信する第３のステップと、
前記センタ装置において、前記通報装置から送信された前記通報装置内保存データを受信する第４のステップとを有することを特徴とする通報装置内保存データ収集方法。
【請求項３】
請求項２に記載の通報装置内保存データ収集方法において、
前記センタ装置において、前記センタ装置に対して外部機器修理完了の確認処理完了の入力がなされるまでは、前記通報と同じ通報を受信しても前記データ収集要求を行わないことを特徴とする通報装置内保存データ収集方法。
【請求項４】
請求項２に記載の通報装置内保存データ収集方法において、
前記センタ装置において、前記通報の受信から一定時間以内は、前記通報と同じ通報を受信しても前記データ収集要求を行わないことを特徴とする通報装置内保存データ収集方法。
【請求項５】
通報装置とセンタ装置とを有する通報装置内保存データ収集システムであって、
前記通報装置は、外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する機能を有し、
前記センタ装置は、該通報を受信すると、受信した通報が予め定めた条件を満たす場合のみ、前記通報装置の前記通報装置内記憶部に対してデータ収集要求を行う機能を有し、
前記通報装置は、前記データ収集要求に応答して前記通報装置内記憶部の前記通報装置内保存データを前記センタ装置に送信する機能を有し、
前記センタ装置は、前記通報装置から送信された前記通報装置内保存データを受信する機能を有することを特徴とする通報装置内保存データ収集システム。
【請求項６】
請求項５に記載の通報装置内保存データ収集システムにおいて、
前記センタ装置は、前記センタ装置に対して外部機器修理完了の確認処理完了の入力がなされるまでは、前記通報と同じ通報を受信しても前記データ収集要求を送信しないことを特徴とする通報装置内保存データ収集システム。
【請求項７】
請求項５に記載の通報装置内保存データ収集システムにおいて、
前記センタ装置は、前記通報の受信から一定時間以内は、前記通報と同じ通報を受信しても前記データ収集要求を送信しないことを特徴とする通報装置内保存データ収集システム。
【請求項８】
外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみをセンタ装置に送信する通報装置を有する通報装置内保存データ収集システムに用いられる前記センタ装置であって、
前記通報装置から送信された通報を受信すると、受信した通報が予め定めた条件を満たす場合のみ、前記通報装置の前記通報装置内記憶部に対してデータ収集要求を行う機能と、
前記データ収集要求に応答して前記通報装置が送信した前記通報装置内保存データを受信する機能とを有することを特徴とする、通報装置内保存データ収集システムにおけるセンタ装置。
【請求項９】
請求項８に記載のセンタ装置において、
前記センタ装置に対して外部機器修理完了の確認処理完了の入力がなされるまでは、前記通報と同じ通報を受信しても前記データ収集要求を送信しないことを特徴とする、通報装置内保存データ収集システムにおけるセンタ装置。
【請求項１０】
請求項８に記載のセンタ装置において、
前記通報の受信から一定時間以内は、前記通報と同じ通報を受信しても前記データ収集要求を送信しないことを特徴とする通報装置内保存データ収集システムにおけるセンタ装置。
【発明の詳細な説明】
【技術分野】
【０００１】
本発明は、通報装置内保存データ収集方法及び通報装置内保存データ収集システムに関する。
【背景技術】
【０００２】
通報装置に簡易なデータロガー(data logger)部を設けることで、データロガー部内の記憶部に、異常発生前の機器状態のデータを通報装置内保存データとして保存できるようになった。この通報装置内保存データをセンタ装置が収集することで、センタ装置において異常発生前のトレンドデータなどの表示が可能となる。
【０００３】
センタ装置が通報装置内保存データを収集する一般的な方法は、通報装置が異常発生の毎に通報と通報装置内保存データとを同時にセンタ装置へ送信する方法であった。この場合、データ送信のトリガを通報装置が持つため、センタ装置は、通報装置からセンタ装置への上記データの送信を制御する条件設定が出来ない。すなわち、センタ装置は、通報装置からセンタ装置への上記データの送信をストップすることができない。
【０００４】
一方、近年、通報装置の回線インターフェースとして無線の利用が増加しているため、出来るだけ少ない通信量でデータを収集する方法が求められている。
【０００５】
特許文献１（特開平４−１２７７４２号公報）は、その請求項１に、設定された条件データに基づいてデータ収集条件が満たされたか否かを検出し、条件成立であれば対象装置にコマンドを送出しデータの収集を行うデータ収集装置が開示されている。
【０００６】
【特許文献１】特開平４−１２７７４２号公報
【発明の開示】
【発明が解決しようとする課題】
【０００７】
本発明の目的は、通報装置内保存データを少ない通信量で収集できる通報装置内保存データ収集システムに用いられる通報装置、及びその通報装置を用いた通報装置内保存データ収集システムを提供することにある。
【０００８】
さらに本発明の目的は、通報装置内保存データを少ない通信量で収集できる通報装置内保存データ収集方法を提供することにある。
【０００９】
また本発明の目的は、通報装置内保存データを少ない通信量で収集できる通報装置内保存データ収集システムに用いられるセンタ装置を提供することにある。
【００１０】
システムに用いられる通報装置、及びその通報装置を用いた通報装置内保存データ収集システムを提供することにある。
【課題を解決するための手段】
【００１１】
本発明の第１の態様によれば、
通報装置とセンタ装置とを有する通報装置内保存データ収集システムに用いられる前記通報装置であって、
外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する機能と、
前記センタ装置から、前記通報装置内記憶部に対するデータ収集要求を受けると、前記通報装置内記憶部の前記通報装置内保存データを前記センタ装置に送信する機能とを有することを特徴とする、通報装置内保存データ収集システムにおける通報装置が得られる。
【００１２】
本発明の第２の態様によれば、
通報装置において、外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する第１のステップと、
前記センタ装置において、該通報を受信すると、受信した通報が予め定めた条件を満たす場合のみ、前記通報装置の前記通報装置内記憶部に対してデータ収集要求を行う第２のステップと、
前記通報装置において、前記データ収集要求に応答して前記通報装置内記憶部の前記通報装置内保存データを前記センタ装置に送信する第３のステップと、
前記センタ装置において、前記通報装置から送信された前記通報装置内保存データを受信する第４のステップとを有することを特徴とする通報装置内保存データ収集方法が得られる。
【００１３】
本発明の第３の態様によれば、
通報装置とセンタ装置とを有する通報装置内保存データ収集システムであって、
前記通報装置は、外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する機能を有し、
前記センタ装置は、該通報を受信すると、受信した通報が予め定めた条件を満たす場合のみ、前記通報装置の前記通報装置内記憶部に対してデータ収集要求を行う機能を有し、
前記通報装置は、前記データ収集要求に応答して前記通報装置内記憶部の前記通報装置内保存データを前記センタ装置に送信する機能を有し、
前記センタ装置は、前記通報装置から送信された前記通報装置内保存データを受信する機能を有することを特徴とする通報装置内保存データ収集システムが得られる。
【００１４】
本発明の第４の態様によれば、
外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみをセンタ装置に送信する通報装置を有する通報装置内保存データ収集システムに用いられる前記センタ装置であって、
前記通報装置から送信された通報を受信すると、受信した通報が予め定めた条件を満たす場合のみ、前記通報装置の前記通報装置内記憶部に対してデータ収集要求を行う機能と、
前記データ収集要求に応答して前記通報装置が送信した前記通報装置内保存データを受信する機能とを有することを特徴とする、通報装置内保存データ収集システムにおけるセンタ装置が得られる。
【００１５】
上記特許文献１は、上記通報装置が、「外部機器から、異常発生を示す異常信号を受けると、異常発生前の前記外部機器の状態データをデータロガー部から該データロガー部の外部の通報装置内記憶部に通報装置内保存データとして移し、前記異常発生を表す通報のみを前記センタ装置に送信する」こと、及び「前記センタ装置から、前記通報装置内記憶部に対するデータ収集要求を受けると、前記通報装置内記憶部の前記通報装置内保存データを前記センタ装置に送信する」ことを開示していない。
【００１６】
上記特許文献１は、上記センタ装置が、前記通報装置から送信された通報を受信すると、受信した通報が予め定めた条件を満たす場合のみ、「前記通報装置の前記通報装置内記憶部に対してデータ収集要求を行う」ことを開示していない。
【発明の効果】
【００１７】
本発明によれば、通報装置内保存データを少ない通信量で収集できる通報装置内保存データ収集システムに用いられる通報装置、及びその通報装置を用いた通報装置内保存データ収集システムが得られる。
【００１８】
さらに本発明によれば、通報装置内保存データを少ない通信量で収集できる通報装置内保存データ収集方法が得られる。
【００１９】
また本発明によれば、通報装置内保存データを少ない通信量で収集できる通報装置内保存データ収集システムに用いられるセンタ装置が得られる。
【発明を実施するための最良の形態】
【００２０】
以下、本発明の一実施形態による通報装置内保存データ収集システムについて図面を参照して説明する。
【００２１】
図１を参照すると、本発明の一実施形態による通報装置内保存データ収集システムが示されている。この通報装置内保存データ収集システムは、簡易なデータロガー部１１を持つ通報装置１０１と、通報装置１０１からの通報の受信やトレンドグラフの表示を行うセンタ装置（コンピュータ）１０２と、通報装置１０１及びセンタ装置１０２を結ぶ無線網１０３及び公衆回線１０４とからなる。
【００２２】
通報装置１０１は、外部機器１２から、異常発生を示す異常信号を受けると、異常発生前の外部機器１２の状態データをデータロガー部１１からデータロガー部１１の外部の通報装置内記憶部１３に通報装置内保存データとして移し、異常発生を表す通報１４のみをセンタ装置１０２に送信する。この際、通報装置１０１は無線網１０３を利用してセンタ装置１０２へ通報１４を行う。
【００２３】
センタ装置１０２は、通報１４を受信すると、受信した通報の通報内容を解析し、受信した通報１４が予め定めた条件を満たす場合のみ、通報装置１０１の通報装置内記憶部１３に対してデータ収集要求１５を行う。この際、センタ装置１０２は無線網１０３を利用して通報装置１０１へデータ収集要求１５を行う。
【００２４】
通報装置１０１は、センタ装置１０２からのリモートアクセスを許可し、通報装置内記憶部１３に対するデータ収集要求１５に応答して通報装置内記憶部１３の通報装置内保存データを無線網１０３を利用してセンタ装置１０２へ送信する。
【００２５】
センタ装置１０２は、受信した通報装置内保存データからトレンドグラフや状態の表示を行う機能を有するものである。
【００２６】
通報装置１０１及びセンタ装置１０２は、無線網１０３および公衆回線１０４によって接続される。無線網１０３と通報装置１０１との間の通信はパケット通信で行われる。
【００２７】
図２を参照すると、図１に示された通報装置内保存データ収集システムの通報装置１０１が詳細に示されている。通報装置１０１は、データの取得が必要な外部機器１２からのアナログデータを入力するアナログ入力部１１１と、アナログデータをデジタルデータへ変更するＡＤ変換部１１２と、変換したデジタルデータを記憶する第１記憶部１１３とを備えたデータロガー部１１を有する。通報装置１０１は、更に、外部機器１２から、異常発生を示す異常信号を取り込む入力部１６を有する。通報装置１０１において、制御部１７は、入力部１６を介して、外部機器１２（例えば、外部機器Ａとする）から、前記異常信号を受けると、異常発生前の外部機器Ａの状態データを、データロガー部１１の内部の第１記憶部１１３からデータロガー部１１の外部の前記通報装置内記憶部としての第２記憶部１３に通報装置内保存データとして移し、異常発生を表す通報（図１の１４）のみを無線部１８及び無線網１０３を利用してセンタ装置１０２に送信する。
【００２８】
通報装置１０１は、更に、センタ装置１０２への接続に公衆回線１０４を利用する際に使用する公衆回線部１９と、センタ装置１０２の宛先を記憶した宛先記憶部２０と、第１記憶部１１３のデータを第２記憶部１３よりも長期記憶する第３記憶部２３と、カレンダ機能を持つカレンダ部２４と、タイマ部２５と、第３記憶部２３を補助する外部記憶部２６を有する。
【００２９】
ここで、図３を参照して、図２の通報装置１０１の動作を説明する。
【００３０】
外部機器Ａを水処理のポンプとすると、通報装置１０１は、ポンプの運転電流をデータロガー部１１のアナログ入力部１１１に取り込み、取り込まれた電流値をＡＤ変換部１１２にてデジタル値へ変換し、第１記憶部１１３へ記憶させる。例えば、一定周期Ｔ１（図３）毎（例えば１秒毎）に取り込まれた電流値データは、第１記憶部１１３へ記憶され、一定時間Ｔ２（図３）（例えば１０分）第１記憶部１１３に記憶させ、順次１秒毎に新たなデータに書き換えて行く。Ｔ２（１０分）間は記憶されるが、それ以前の過去のデータは書き換えられる。
【００３１】
図３に示すように外部機器Ａから入力部１６へ異常（故障）発生を表す異常信号の入力があった場合や、外部機器Ａにて運転電流値が規定値以上の電流値が所定時間（例えば数秒）測定された場合は、通報装置１０１の制御部１７は、データロガー部１１の第１記憶部１１３のデータを第２記憶部１３へ記憶を移すと同時に、センター装置１０２へ異常発生を表す通報（図１の１４）を送信する。
【００３２】
図４を参照すると、図２に示された通報装置内保存データ収集システムのセンタ装置１０２の処理の流れが示されている。センタ装置１０２は、通報装置１０１から通報を受信する（ステップＳ１）と、受信した通報が予め定めた条件（データ収集条件）を満たすかどうかを確認する（ステップＳ２）。センタ装置１０２に予め定められる前記条件（データ収集条件）を図５に示す（後に説明する）。受信した通報が前記条件（データ収集条件）を満たす場合、センタ装置１０２は通報装置１０１の通報装置内記憶部１３に対してデータ収集要求を行い、通報装置１０１の通報装置内記憶部１３から通報装置内保存データを収集する（ステップＳ３）。すなわち、ステップＳ３では、センタ装置１０２は、受信した通報の通報内容が「外部機器Ａの故障」や「異常な電流値の発生」を表している場合は、通報装置１０１へ通報装置内記憶部（第２記憶部）１３のデータを収集するコマンドをデータ収集要求として送り、通報装置１０１の通報装置内記憶部（第２記憶部）１３から通報装置内保存データを取得する動作を行う。
【００３３】
図５を参照すると、センタ装置１０２に予め定められる条件（データ収集条件）が示されている。
【００３４】
例えば、センタ装置１０２に、通報内容が「外部機器Ａの故障」との条件（Ｎｏ．１）が予め定められているとする。この場合には、センタ装置１０２は、通報内容が「外部機器Ａの故障」を表している通報を受信したとき、通報装置１０１の通報装置内記憶部１３に対してデータ収集要求を行い、通報装置１０１の通報装置内記憶部１３から通報装置内保存データを収集する。この際の収集データ（通報装置内保存データ）は、例えば、外部機器Ａの運転電流ロギングデータである。
【００３５】
ここで、センタ装置１０２は、センタ装置１０２に対して確認者が確認処理完了（例えば、故障した外部機器Ａの修理や処置が完了したことを確認する処理の完了）の入力（あるいは操作）を行うまでは、前記通報と同じ通報を受信してもデータ収集要求を送信しない。このような除外条件も、センタ装置１０２に予め定められている。
【００３６】
代りに、センタ装置１０２に、通報内容が「外部機器Ｂの故障」かつ、発生時刻が１８:００〜翌８：００との条件（Ｎｏ．２）が予め定められている場合には、センタ装置１０２は、通報内容が「外部機器Ｂの故障」を表し該故障の発生時刻が１８:００〜翌８：００である通報を受信したとき、通報装置１０１の通報装置内記憶部１３に対してデータ収集要求を行い、通報装置１０１の通報装置内記憶部１３から通報装置内保存データを収集する。この際の収集データ（通報装置内保存データ）は、例えば、外部機器Ｂの運転電流ロギングデータである。
【００３７】
この場合も、センタ装置１０２は、センタ装置１０２に対して確認者が確認処理完了（例えば、故障した外部機器Ｂの修理や処置が完了したことを確認する処理の完了）の入力（あるいは操作）を行うまでは、前記通報と同じ通報を受信してもデータ収集要求を送信しない。
【００３８】
また、センタ装置１０２に、通報内容が「異常高水位」との条件（Ｎｏ．３）が予め定められている場合には、センタ装置１０２は、通報内容が「異常高水位」を表している通報を受信したとき、通報装置１０１の通報装置内記憶部１３に対してデータ収集要求を行い、通報装置１０１の通報装置内記憶部１３から通報装置内保存データを収集する。この際の収集データ（通報装置内保存データ）は、例えば、水位変動のロギングデータである。
【００３９】
この場合、センタ装置１０２は、前記通報の受信から一定時間以内は、前記通報と同じ通報を受信してもデータ収集要求を送信しない。
【００４０】
以上のように、センタ装置１０２には、故障発生時刻によって収集する／しないを設定できる、短時間で連続して通報が発生した場合には収集しないなど、詳細な条件を設定することが可能となる。また、複数の保存データから収集するデータを指定することが出来、よりパケット量が少なくデータ収集を行うことが可能となる。
【００４１】
図５は機器Ａの修理完了確認処理が完了するまで、センタ装置は通報装置から異常信号が送られても、データ収集は行わない。
【００４２】
この図５の条件は、必要なデータを取得する条件となる。即ち、図３に示したように、故障や異常が発生する前の時間Ｔ２にどのように時間Ｔ１ごとに運転データが変化したかを知ることで、原因をつかむ仕組みを構成するものである。
【００４３】
なお、図２において、タイマ部２５はＴ１およびＴ２を計時するのに使用される。また、データロガー部１１とは別に、通報装置１０１内の第３記憶部２３には、カレンダーに対応した年月日に関する外部機器の状態を日毎に月単位にて記憶しておき、また外部記憶部２６に補助的にデータを記憶することで、通報装置１０１異常でも外部記憶部２６にてデータを確保することが出来る。
【００４４】
また、図２において、センタ装置１０２から通報装置１０１へデータロガー部１１内の第１記憶部１１３のデータ取得コマンドを送ることで第1記憶部１１３のデータを取得することも可能である。
【００４５】
本実施形態によれば、通報装置があらかじめ決められた条件にしたがって保存データをセンタ装置に送信する場合と比較して、保存データを収集する条件を柔軟に設定することができ、無駄な通信を減らすことで、通信量を削減することができる。
【００４６】
センタ装置が通報装置内の保存データを取得する条件は、図５に示した上述の例の他に、複数の通報の組み合わせや他の機器状態との組み合わせも考えられる。
【００４７】
以上、実施形態を参照して本願発明を説明したが、本願発明は上記実施形態に限定されるものではない。
【図面の簡単な説明】
【００４８】
【図１】本発明の一実施形態による通報装置内保存データ収集システムを示す図である。
【図２】図１に示された通報装置内保存データ収集システムの詳細を示す図である。
【図３】図２に示された通報装置内保存データ収集システムの通報装置の動作を説明する図である。
【図４】図２に示された通報装置内保存データ収集システムのセンタ装置の処理の流れを示すフローチャートである。
【図５】センタ装置に予め定められる予め定めた条件（データ収集条件）を説明する図である。
【符号の説明】
【００４９】
１０１    通報装置
１０２    センタ装置
１０３    無線網
１０４    公衆回線
１１    データロガー部
１２    外部機器
１３    通報装置内記憶部（第１記憶部）
１４    通報
１５    データ収集要求
１６    入力部
１８    無線部
１１１    アナログ入力部
１１２    ＡＤ変換部
１１３    第１記憶部
【図１】
2010045697.tif 000003
【図２】
2010045697.tif 000004
【図３】
2010045697.tif 000005
【図４】
2010045697.tif 000006
【図５】
2010045697.tif 000007